(57)【要約】【課題】  身体に装着される位置に係らず、心身の緊張を緩和することができるようにする。【解決手段】  緊張緩和装置１は、振動体４０の内部に収納された振動モータ５０を制御する周期を決定し、決定した周期で振動モータ５０の制御処理を開始する。緊張緩和装置１は、振動モータ５０が所定時間のあいだ正回転するように制御し、所定時間経過した後、振動モータ５０の回転にブレーキをかける。次に制御部１０１は、振動モータ５０が所定時間のあいだ逆回転するように制御し、所定時間経過した後、振動モータ５０の回転にブレーキをかける。【選択図】      図１
2006055625.tif 000002
【特許請求の範囲】
【請求項１】
中空のケースと、
シャフトの回転により振動を生じる振動モータと、
前記ケース内部に前記振動モータを固定する固定手段と、
前記ケースを人体に密着させる密着手段と、
前記振動モータのシャフトを所定時間のあいだ正回転させた後に該シャフトを所定時間のあいだ逆回転させる駆動制御を、所定の周期で繰り返すモータ制御手段と
を有する緊張緩和装置。
【請求項２】
中空の筐体と、
シャフトを備え、前記筐体内部に配置されたモータと、
前記モータのシャフトに取り付けられた回転部材と、
前記シャフトの回転に伴って回転する前記回転部材の回転軌道上に配置された衝突用部材と、
前記回転部材が前記衝突用部材に衝突するように前記モータのシャフトを第１方向へ回転させた後、該シャフトを前記第１方向とは反対の第２方向へ回転させる駆動制御を、所定の周期で繰り返すモータ制御手段と
を有する緊張緩和装置。
【請求項３】
前記回転軌道上であって、前記シャフトが前記第１方向へ回転した際に前記回転部材と衝突する位置に配置され、硬質部材で形成された第一部材と、
前記回転軌道上であって、前記シャフトが前記第２方向へ回転した際に前記回転部材と衝突する位置に配置され、軟質部材で形成された第二部材と、
動作モードを第１モードまたは第２モードのいずれかに設定する設定手段と
を備え、
前記モータ制御手段は、前記動作モードが第１モードである場合には、前記回転部材が前記第一部材に衝突するように前記モータのシャフトを第１方向へ回転させた後、該シャフトを前記第１方向とは反対の第２方向へ回転させる駆動制御を所定の周期で繰り返し、前記動作モードが第２モードである場合には、前記回転部材が前記第二部材に衝突するように前記モータのシャフトを前記第２方向へ回転させた後、該シャフトを前記第２方向とは反対の第１方向へ回転させる駆動制御を所定の周期で繰り返すこと
を特徴とする請求項２に記載の緊張緩和装置。
【請求項４】
前記シャフトの回転に伴って回転する前記回転部材の回転軌道上と、前記回転軌道外とに移動可能に配置され、軟質部材で形成された消音部材
を有することを特徴とする請求項２に記載の緊張緩和装置。
【発明の詳細な説明】
【技術分野】
【０００１】
本発明は、人体に対して刺激を与えることにより心身の緊張を緩和する技術に関する。
【背景技術】
【０００２】
身体に刺激を与えることにより、人間の緊張状態を緩和する装置が多数考案されている。例えば特許文献１には、頭部へ刺激を与えることによりストレスを解消する装置が開示されている。この装置は、ヘッドバンドあるいはイヤホンから特定周波数の電磁界を発生させ、これにより脳細胞を活性化させてストレスを解消する。また特許文献２には、振動による刺激により緊張を緩和する装置が開示されている。この装置は、電源が入れられている間、振動モータの回転数が一定となるように振動モータを駆動して振動を発生する。ユーザがこの装置を身体に密着させると、装置から伝わる一定の振動により身体の緊張が緩和される。
【特許文献１】特開２００３−９３５１３号公報
【特許文献２】特開２００３−７０８６６号公報
【発明の開示】
【発明が解決しようとする課題】
【０００３】
さて、心身の緊張を緩和したい状況としては、人前での発表や初対面の人との対面時が考えられる。
特許文献１に開示されている装置は、ヘッドバンドやイヤホン等により特定周波数の電磁界を発生させ、脳に刺激を与える構成となっているが、このようなヘッドバンドやイヤホンにより刺激を与える構成では、人との対面時等の緊張状態においては、装置が他人の目に触れてしまい、行動の妨げになってしまうので使用するのが難しい。装置が目立たないように、電磁界を出力する位置を頭部ではなく他の位置にすることも考えられるが、脳から離れた位置に対して刺激を与えても脳に伝わるまでに刺激が減衰されてしまうので効果を得ることができない。これに対し、特許文献２に開示されているような振動による刺激は、身体のどの位置に伝えられても知覚される。しかしながら、特許文献２に開示された装置では、一定の振動が継続して身体に伝わるのみであるため、身体の緊張を緩和する効果しか得ることができず、精神面での緊張を緩和することができない。
【０００４】
本発明は、上述した背景の下になされたものであり、身体に装着される位置に係わらず、心身の緊張を緩和することができる装置を提供することを目的とする。
【課題を解決するための手段】
【０００５】
上述した課題を解決するために本発明は、中空のケースと、シャフトの回転により振動を生じる振動モータと、前記ケース内部に前記振動モータを固定する固定手段と、前記ケースを人体に密着させる密着手段と、前記振動モータのシャフトを所定時間のあいだ正回転させた後に該シャフトを所定時間のあいだ逆回転させる駆動制御を、所定の周期で繰り返すモータ制御手段とを有する緊張緩和装置を提供する。
この装置によれば、一定の振動とは異なる振動が一定の周期で身体に与えられるため、心身が緊張緩和状態に引き込まれやすくなる。
【０００６】
また、本発明は、中空の筐体と、シャフトを備え、前記筐体内部に配置されたモータと、前記モータのシャフトに取り付けられた回転部材と、前記シャフトの回転に伴って回転する前記回転部材の回転軌道上に配置された衝突用部材と、前記回転部材が前記衝突用部材に衝突するように前記モータのシャフトを第１方向へ回転させた後、該シャフトを前記第１方向とは反対の第２方向へ回転させる駆動制御を、所定の周期で繰り返すモータ制御手段とを有する緊張緩和装置を提供する。
【発明の効果】
【０００７】
本発明によれば、身体に装着される位置に係わらず、心身の緊張を緩和することができる。
【発明を実施するための最良の形態】
【０００８】
以下、図面を参照して本発明の実施形態について説明する。
［Ａ．第１実施形態］
［構成］
図１は、本発明の第１実施形態に係る緊張緩和装置１の外観を示した図である。
図１に示したように、本実施形態に係る緊張緩和装置１は、腕時計と同様の形状となっており、筐体２０には、動作スイッチ３１と、強弱スイッチ３２と、アップスイッチ３３と、ダウンスイッチ３４と、振動体４０とが配設されている。また、筐体２０には、ベルト１０が取り付けられている。このベルト１０は、伸縮性を有しており、金具１１により長さを調整することが可能となっている。ユーザは、このベルトの長さを金具１１で調節することにより、手首や上腕部、足首など、他者から気づかれない部位に当該装置を装着することができる。
【０００９】
振動体４０は、携帯電話機等に用いられているものと同様の小型軽量で消費電力が少ない振動モータ５０（好ましくは、６０００ｒｐｍ〜１５０００ｒｐｍの振動モータ）を、その内部に収納している。図２に振動体４０の内部構成を示す。ハウジング５２の内部には、ロータや整流子、電源端子が設けられている。電源端子に電力が供給されると、ロータが回転すると共に、ロータの中心部に配置されたシャフト５３が回転する。シャフト５３の先端部には、分銅５１が取り付けられている。シャフト５３が回転すると、回転軸の重量の不釣合いにより、振動が発生する。振動モータ５０の筐体となるケース５４は、金属またはプラスチックを円筒状に加工したものであり、その内径は、シャフト５３が回転した時に分銅５１がケースに接触しない大きさになっている。振動モータ５０は、このケース５４の内部にスペーサ５５により固定される。なお、図１に示したように、振動体４０は、筐体２０の底面（筐体２０において皮膚に接する面）より突出するように筐体２０により支持されているので、筐体２０が身体に装着された時に皮膚に密着する。このため、筐体２０の内部に振動体４０を配設する場合と比較して、振動モータ５０から伝わる振動の減衰が小となり、振動モータ５０が生じる振動が効率良く皮膚に伝わる。
【００１０】
次に、図３を用いて、緊張緩和装置１のハードウェア構成と筐体２０に配設されている各スイッチについて説明する。電源部１０３は、一次電池または二次電池を具備しており、緊張緩和装置１の各部に電力を供給する。
【００１１】
動作スイッチ３１は、電源のオン／オフと、緊張緩和装置１の動作時間設定とを行うための３ポジションのスライドスイッチである。ユーザがスライダを第１の位置（図１において左端）にスライドさせると、電源部１０３からの電力供給が遮断される。ユーザは、緊張緩和装置１の電源を入れ、動作時間を例えば３分にする場合には、スライダを第２の位置（図１において中央）にスライドさせる。スライダが第２の位置にスライドさせられると、電源部１０３から各部に電力が供給されると共に、スライダが第２の位置にあることを示す信号（以下、この信号を動作時間設定信号Ａ１と称する）が、制御部１０１へ供給される。また、緊張緩和装置１の電源を入れ、動作時間を例えば１０分にする場合には、スライダを第３の位置（図１において右端）にスライドさせる。スライダが第３の位置にスライドさせられると、電源部１０３から各部に電力が供給されると共に、スライダが第３の位置にあることを示す信号（以下、この信号を動作時間設定信号Ａ２と称する）が、制御部１０１へ供給される。
【００１２】
強弱スイッチ３２は、振動体４０が生ずる振動の強弱を設定するための２ポジションのスライドスイッチである。ユーザは、振動の強度を強にする場合には、スライダを第１の位置（図１において動作スイッチ３１側）にスライドさせる。スライダが第１の位置にスライドさせられると、スライダが第１の位置にあることを示す信号（以下、この信号を強弱設定信号Ｂ１と称する）が、制御部１０１へ供給される。また、振動の強度を弱にする場合には、スライダを第２の位置にスライドさせる。スライダが第２の位置にスライドさせられると、スライダが第２の位置にあることを示す信号（以下、この信号を強弱設定信号Ｂ２）が、制御部１０１へ供給される。
【００１３】
アップスイッチ３３およびダウンスイッチ３４は、振動体４０が生ずる振動の周波数を設定するためのスイッチである。アップスイッチ３３およびダウンスイッチ３４はプッシュスイッチであり、これらのスイッチがユーザにより押下されると、押下されたことを示す信号が、制御部１０１へ供給される。
【００１４】
制御部１０１は、制御プログラムを記憶したＲＯＭと、制御プログラムに基づいて各部の制御を行うＣＰＵと、ＣＰＵの作業エリアとして使用されるＲＡＭと、振動体４０の振動周期を決める周波数データを記憶する不揮発性メモリとを具備している。制御部１０１は、制御プログラムに基づいて、モータ制御部１０２へ制御信号を出力し、各種スイッチから供給される信号に応じて振動体４０の動作時間と振動の強弱を制御し、不揮発性メモリに記憶されている周波数データに応じて振動体４０を振動させる周期を制御する。
【００１５】
モータ制御部１０２は、モータに加える電圧の向きを替えられるＨブリッジ回路などのモータ制御回路を具備している。モータ制御部１０２は、制御部１０１から供給される制御信号に応じて、振動モータ５０に加える電圧や電圧の向きを制御し、振動モータ５０の回転数や回転方向を可変する。
【００１６】
［動作］
次に本実施形態の動作について説明する。なお、以下の説明においては、動作スイッチ３１のスライダを第２の位置へスライドさせ、動作時間を３分にした場合を想定して動作説明を行う。
【００１７】
まず、緊張緩和装置１を身体に装着したユーザが、動作スイッチ３１のスライダを第１の位置から第２の位置にスライドさせると、電源部１０３から緊張緩和装置１の各部へ電力が供給される。制御部１０１は、電力が供給されると制御プログラムに基づいて各部の制御を開始する。制御部１０１は、制御プログラムを起動すると、時間の計時を開始し、制御プログラムを起動してから経過した時間を表す経過時間データを１秒毎にＲＡＭに格納する（図４：ステップＳＡ１）。次に制御部１０１は、動作スイッチ３１から供給されている信号の種類を判断する。ここで、スライダの位置は第２の位置にあるので、制御部１０１は、動作時間設定信号Ａ１を検出する。制御部１０１は、動作時間設定信号Ａ１を検出すると、動作を停止するまでの時間「３分」を表す動作時間データをＲＡＭに格納する（ステップＳＡ２）。
【００１８】
次に制御部１０１は、動作スイッチ３１から供給されている信号の種類を判断する。ここで、制御部１０１は、強弱設定信号Ｂ１が供給されている場合には振動体４０の強度設定が「強」にされていると判断し、強弱設定信号Ｂ２が供給されている場合には振動体４０の強度設定が「弱」にされていると判断する。制御部１０１は、この強度設定を表す強度制御信号を生成してモータ制御部１０２へ出力する（ステップＳＡ３）。モータ制御部１０２は、強度制御信号が入力されると、この強度制御信号に応じて振動モータ５０へ供給する電圧を制御する。例えば、強度制御信号の内容が強度設定「強」を表している場合、モータ制御部１０２は、振動モータ５０を駆動する際にモータへ供給する電圧を高とする。振動モータ５０へ供給する電圧を高とすると、モータを駆動させた際に回転数が高となり、振動モータの振動が大きくなる。また、強度制御信号の内容が強度設定「弱」を表している場合、モータ制御部１０２は、振動モータ５０を駆動する際にモータへ供給する電圧を低とする。振動モータ５０へ供給する電圧を低とすると、モータを駆動させた際に回転数が低となり、振動モータの振動が小さくなる。
【００１９】
次に制御部１０１は、不揮発性メモリに記憶している周波数データを読み出し、振動モータ５０を制御する周期を求める（ステップＳＡ４）。例えば、周波数データが示す周波数が１［Ｈｚ］である場合、振動モータ５０の制御を開始する周期は１［ｓｅｃ］となる。制御部１０１は、周期を決定すると時間を計時し、決定した周期で振動モータ５０の制御処理を開始する（ステップＳＡ５）。具体的には、制御部１０１は、振動モータ５０が４０［ｍｓｅｃ］の間、正回転するように制御信号を出力し（図５：ステップＳＢ１）、４０［ｍｓｅｃ］経過した後、１００［μｓｅｃ］が経過するまでの間、制御信号の出力を停止する（ステップＳＢ２）。制御部１０１は、１００［μｓｅｃ］経過した後、１０［μｓｅｃ］が経過するまでの間、振動モータ５０が逆回転するように制御信号を出力して振動モータ５０の回転にブレーキをかける（ステップＳＢ３）。次に制御部１０１は、振動モータ５０が４０［ｍｓｅｃ］の間、逆回転するように制御信号を出力し（ステップＳＢ４）、４０［ｍｓｅｃ］経過した後、１００［μｓｅｃ］が経過するまでの間、制御信号の出力を停止する（ステップＳＢ５）。制御部１０１は、１００［μｓｅｃ］経過した後、１０［μｓｅｃ］が経過するまでの間、振動モータ５０が正回転するように制御信号を出力して振動モータ５０の回転にブレーキをかけ（ステップＳＢ６）、１０［μｓｅｃ］が経過した後、制御信号の出力を停止する。なお、正回転させる時間、逆回転させる時間、制御信号の出力を停止させる時間、ブレーキをかける時間は、上述した時間に限定されるものではなく、任意の時間に変更してもよい。
【００２０】
さて、制御部１０１は、振動モータ５０の制御を開始すると、一定の周期で振動モータ５０の制御処理を行う一方、アップスイッチ３３またはダウンスイッチ３４が押下されたか否かを判断する。制御部１０１は、アップスイッチ３３から信号が供給されている場合（ステップＳＡ６；ＹＥＳ）、周波数データが表す振動周波数の値を、例えば８［Ｈｚ］を上限として、予め定められたステップ分だけ増加させる。また制御部１０１は、ダウンスイッチ３４から信号が供給されている場合（ステップＳＡ８；ＹＥＳ）、周波数データが表す振動周波数の値を、例えば０．３［Ｈｚ］を下限として、予め定められたステップ分だけ減少させる。制御部１０１は、周波数データの値を変更すると、振動モータ５０を制御する周期を再度求め、求めた周期で振動モータ５０の制御処理を行う。なお、振動周波数の上限および加減は、上記の値に限定されるものではなく任意に変更可能である。また、周波数データの値を増減させた場合には、再度動作スイッチ３１から供給されている信号に基づいて、動作を停止するまでの時間を表す動作時間データをＲＡＭに格納するようにしてもよい。
【００２１】
次に制御部１０１は、動作を停止するか否かを判断する（ステップＳＡ１０）。具体的には、制御部１０１は、ＲＡＭから経過時間データと動作時間データとを読み出し、経過時間データが表す時間と動作時間データが表す時間とを比較する。経過時間データの時間が、動作時間データが表す３分を超えていない場合（ステップ１０；ＮＯ）、制御部１０１はステップＳＡ６へ戻り、制御処理を継続する。一方、経過時間データの時間が、動作時間データが表す３分を超えている場合（ステップＳＡ１０；ＹＥＳ）、制御部１０１は制御処理を終了する。なお、動作スイッチ３１のスライダを第３の位置にスライドさせ、動作時間を１０分に設定した場合の動作は、動作時間データが表す時間が１０分となることを除いて上述した動作と同じとなる。
【００２２】
以上説明したように本実施形態によれば、人目に触れにくく、行動を妨げない場所に心身の緊張を緩和する装置が装着されるため、人前で行動する際にも緊張を容易に緩和し、集中力を向上させたり心身をリラックスさせたりすることができる。また、振動モータ５０を具備した振動体４０が直接身体に接するため、筐体２０の内部に振動体４０を配設する場合と比較して振動が減衰することなく皮膚に伝わり、少ない電力でも大きな振動を皮膚に与えることができる。また、振動による刺激は、光や音、電磁界などによる人体への刺激と比較して、刺激の有無を知覚しやすく、また、周囲の環境に影響を受けずに人体へ伝わるため、より効率良く心身の緊張を緩和することができる。また、本実施形態によれば、筋肉に電流を流して筋収縮により人体に振動を発生させる場合と比較して振動の強弱の調整が容易であり、筋肉を強制的に動かすことがないため、体への負担が少なくてすむ。また、一定の周期で振動を発生させ、さらに心臓の拡張・収縮のような相反する運動のように、正転・逆転という相反する動きを振動モータ５０に行わせることにより、同じ振動モータ５０を単純に一方向に駆動して振動を発生させた場合と比較して、生体が緊張緩和状態に引き込まれやすくなる。
【００２３】
［変形例］
以上、本発明の実施形態について説明したが、例えば、上述した実施形態を以下のように変形して本発明を実施してもよい。
【００２４】
図６に示したように、緊張緩和装置１に液晶ディスプレイを設け、周波数データが表す振動周波数や、動作を停止するまでの残り時間等の各種情報を表示するようにしてもよい。
【００２５】
筐体２０において、身体に接触する面に脈拍センサまたは皮膚の振動を検知するセンサを配設し、制御部１０１はセンサから供給される信号に基づいて脈拍の周期を求め、求めた周期から基準時間内の脈拍数を算出し、算出した脈拍数に応じて、振動モータ５０を制御するようにしてもよい。具体的には、緊張緩和装置１は、リラックスしている時の脈拍数の範囲（例えば、６０拍／分〜８０拍／分）をユーザに入力させて記憶する。緊張緩和装置１は、電源が入れられると脈拍周期の計測を開始する。緊張緩和装置１は、計測した脈拍周期から求めた脈拍数が設定された脈拍数の範囲を超えた場合、まず計測して得られた脈拍周期と同じ周期で振動が発生するように振動モータ５０を制御し、順次振動の周期を長くしていく。緊張緩和装置１は、予め定めた時間が経過した後に再度脈拍数を求め、脈拍数が設定された範囲に入っていれば振動モータ５０の制御を停止して待機し、脈拍数が設定された範囲を超えている場合には、計測して得られた脈拍周期と同じ周期で振動が発生するように振動モータ５０を制御し、順次振動の周期を長くしていくという動作を行う。なお、待機中にも脈拍数を求め、脈拍数が設定した範囲を超えた場合には、再度上述した動作を行うようにしてもよい。
【００２６】
筐体２０において、身体に接触する面に皮膚の電位または皮膚の抵抗を検知するセンサを配設し、測定結果に応じて振動モータ５０を制御するようにしてもよい。緊張緩和装置１は、リラックスしている時の皮膚の電位の値、または皮膚の抵抗値をユーザに入力させて記憶する。緊張緩和装置１は、まず記憶している周波数データに基づいて、振動モータ５０を振動させる。皮膚の電位が高い場合または皮膚の抵抗が低い場合、人間は緊張状態にあることが知られている。緊張緩和装置１は、振動モータ５０の制御を開始して一定時間が経過した後、皮膚の電位または抵抗を測定し、記憶した電位より測定した電位が高い場合、または記憶した抵抗値より測定した抵抗値が低い場合には、振動モータ５０の制御を再度行う。
【００２７】
上述した実施形態においては、ベルト１０により身体に装着するようにしているが、身体へ装着する方法は上述した方法に限定されるものではない。例えば、筐体２０に粘着性を有するシートを配設し、これにより筐体２０を身体に貼り付けるようにしてもよい。また、筐体２０は、プラスチックなどの変形自在な素材にしてもよい。このような態様によれば、腕や足に限定されず身体の他の位置にも装着することが可能となる。また、振動を発生させるための上述した各構成を、腕時計や携帯電話機等に組み込むようにしてもよい。また、振動体４０を筐体２０から分離できるようにし、ベルトや粘着シートなどにより振動体４０のみを身体に装着するようにしてもよい。
【００２８】
［Ｂ．第２実施形態］
次に、本発明の第２実施形態について説明する。図７は、本発明の第２実施形態に係る緊張緩和装置１Ａの外観図である。図７に示したように、本実施形態に係る緊張緩和装置１Ａにおいては、柱体状の筐体２０Ａの表面に、電源スイッチ３５と、アップスイッチ３３Ａと、ダウンスイッチ３４Ａと、音スイッチ３６とが配設されている。また、緊張緩和装置１Ａは、振動を発生させるための小型モータや、モータを制御するためのモータ制御部、緊張緩和装置１Ａの各部を制御する制御部、緊張緩和装置１Ａを駆動するための電源部等を筐体２０Ａの内部に有している。この緊張緩和装置１Ａの大きさは、人間の掌に納まる程度の大きさであり、衣服のポケット等に収めることが可能となっている。
【００２９】
図８は、緊張緩和装置１Ａのハードウェア構成を示したブロック図である。電源部１０３は、一次電池または二次電池を具備しており、緊張緩和装置１Ａの各部に電力を供給する。電源スイッチ３５は、電源部１０３から各部へ電力を供給するためのプッシュスイッチであり、電源部１０３と、制御部１０１およびモータ制御部１０２に接続されている。ユーザが電源スイッチ３５のボタンを押下すると、ボタンは押し込まれた状態でロックする。そして、電源部１０３と各部とが接続され、電源部１０３から緊張緩和装置１Ａの各部へ電力が供給される。また、ボタンが押し込まれている状態で再度ボタンを押下すると、ボタンのロックが解除され、電源部１０３から緊張緩和装置１Ａの各部への電力の供給が遮断される。
【００３０】
アップスイッチ３３Ａおよびダウンスイッチ３４Ａは、緊張緩和装置１Ａが発する振動の周期を設定するためのスイッチである。アップスイッチ３３Ａおよびダウンスイッチ３４Ａはプッシュスイッチであり、これらのスイッチがユーザにより押下されると、押下されたことを示す信号を制御部１０１へ供給する。
音スイッチ３６は、緊張緩和装置１Ａから音を発生させるか否かの設定を行うためのスイッチである。音スイッチ３６はプッシュスイッチであり、ユーザにより押下されると、押下されたことを示す信号を制御部１０１へ供給する。
【００３１】
モータ制御部１０２は、モータ５０Ａに加える電圧の向きを替えられるＨブリッジ回路などのモータ制御回路を具備している。モータ制御部１０２は、制御部１０１から供給される制御信号に応じて、モータ５０Ａに加える電圧や電圧の向きを制御し、モータ５０Ａのシャフトの回転角度や回転方向を変化させる。
【００３２】
制御部１０１は、制御プログラムを記憶したＲＯＭと、制御プログラムに基づいて各部の制御を行うＣＰＵと、ＣＰＵの作業エリアとして使用されるＲＡＭと、不揮発性メモリとを具備している。制御部１０１は、制御プログラムに基づいて、モータ制御部１０２へ制御信号を出力し、各種スイッチから供給される信号、ＲＡＭに記憶される動作モード、不揮発性メモリに記憶されている周期データ等に応じてモータ５０Ａを制御する。
【００３３】
モータ５０Ａは、小型軽量で消費電力が少ないタイプのモータであり、筐体２０Ａ内部に設置されている。図９は、筐体２０Ａ収納されたモータ５０Ａと、モータ５０Ａ周辺の構成を示した図である。モータ５０Ａのシャフト５３には、金属または硬質プラスチック等の硬い部材で形成された回転部材５６が取付けられている。回転部材５６は、図９に示したように略円柱状であり、その外周面の一部には、円柱の半径方向に突出した突起部５６Ａが、回転部材５６の回転軸の方向に沿って設けられている。
【００３４】
モータ５０Ａが配設される位置の近傍には、図９に示したように、筐体２０Ａからモータ５０Ａのシャフト方向へ向かって略垂直に突出した衝突用突起部２１が、筐体２０Ａの一部に設けられている。この衝突用突起部２１は、板状に形成されており、シャフト５３の軸方向に沿った面の一方に第一部材２２が配設され、もう一方の面に第二部材２３が配設されている。第一部材２２は、金属または硬質プラスチック等の硬い部材で板状に形成されており、第二部材２３は、シリコンやゴム等の柔らかい部材で板状に形成されている。
【００３５】
モータ５０Ａ制御され、シャフト５３が図９中の矢印Ａ方向に回転すると、回転部材５６の突起部５６Ａが第一部材２２に衝突し、この衝突の衝撃により音と振動が発生する。一方、モータ制御部１０２からの制御信号に応じて、シャフト５３が図９中の矢印Ｂ方向（矢印Ａ方向と反対の方向）に回転すると、回転部材５６の突起部５６Ａが第二部材２３に衝突する。第二部材２３は、上述したように柔らかい部材であるため、突起部５６Ａが衝突しても音が発生せず、振動のみが発生する。
【００３６】
［動作］
次に本実施形態の動作について説明する。
まず、ユーザが緊張緩和装置１Ａの電源スイッチ３５のボタンを押下すると、電源部１０３と緊張緩和装置１Ａの各部が接続され、電源部１０３から緊張緩和装置１Ａの各部へ電力が供給される。制御部１０１は、電源部１０３から電力が供給されると制御プログラムに基づいてモータ５０Ａの制御処理を開始する。
【００３７】
具体的には、ＲＡＭに記憶されている動作モードを判別する（図１０：ステップＳＣ１）。ここで、動作モードが音発生モードである場合には（ステップＳＣ１；ＹＥＳ）、制御部１０１は、モータ制御部１０２を制御してシャフト５３を矢印Ａ方向へ回転させ（ステップＳＣ２）、回転部材５６の突起部５６Ａを第一部材２２に衝突させる。そして、突起部５６Ａが第一部材２２に衝突した後、シャフト５３の回転を停止させる（ステップＳＣ３）。次に制御部１０１はモータ制御部１０２を制御し、シャフト５３を矢印Ｂ方向へ回転させる（ステップＳＣ４）。この後、制御部１０１はモータ制御部１０２を制御し、シャフト５３が１８０度回転した位置でシャフト５３の回転を停止させる（ステップＳＣ５）。
【００３８】
一方、ステップＳＣ１において動作モードが消音モードであると判断した場合（ステップＳＣ１；ＮＯ）、制御部１０１は、モータ制御部１０２を制御してシャフト５３を矢印Ｂ方向へ回転させ（ステップＳＣ６）、回転部材５６の突起部５６Ａを第二部材２３に衝突させる。そして、突起部５６Ａが第二部材２３に衝突した後、シャフト５３の回転を停止させる（ステップＳＣ７）。次に制御部１０１はモータ制御部１０２を制御し、シャフト５３を矢印Ａ方向へ回転させる（ステップＳＣ８）。この後、制御部１０１はモータ制御部１０２を制御し、シャフト５３が１８０度回転した位置でシャフト５３の回転を停止させる（ステップＳＣ９）。
この処理は、不揮発性メモリに記憶されている周期データが表す周期毎に行われる。これにより、動作モードが音発生モードである場合には、周期データが表す周期で振動と音が発生し、動作モードが消音モードである場合には、周期データが表す周期で振動が発生する。
【００３９】
また、制御部１０１は図１１に示した処理を行い、押下されたスイッチに応じて各部を制御する。例えば、音スイッチ３６が押下された場合（ステップＳＤ１；ＹＥＳ）、制御部１０１は動作モードを判別する（ステップＳＤ２）。そして、音スイッチ３６が押下された時点の動作モードが音発生モードである場合には（ステップＳＤ２；ＹＥＳ）、動作モードを消音モードに変更し（ステップＳＤ３）、音スイッチ３６が押下された時点の動作モードが消音モードである場合には（ステップＳＤ２；ＮＯ）、動作モードを音発生モードに変更する（ステップＳＤ４）。動作モードが変更されると、上述したように、突起部５６Ａが衝突する部材が動作モードに応じて替わり、音発生モードになった場合には振動発生時に音も発生するようになり、消音モードになった場合には振動発生時に音が発生しないようになる。
【００４０】
また、例えば、アップスイッチ３３Ａのボタンが押下された場合（ステップＳＤ５：ＹＥＳ）、制御部１０１は、不揮発性メモリに記憶されている周期データが表す周期の値を、予め定められた値だけ減少させ（ステップＳＤ６）、ダウンスイッチ３４Ａのボタンが押下された場合（ステップＳＤ７：ＹＥＳ）、制御部１０１は、不揮発性メモリに記憶されている周期データが表す周期の値を、予め定められた値だけ増加させる（ステップＳＤ８）。周期データが表す周期の値が大きくなった場合（ダウンスイッチ３４Ａが押下された場合）、図１０に示した処理が行われる周期が、周期データが表す周期の値に応じて長くなる。一方、周期データが表す周期の値が小さくなった場合（アップスイッチ３３Ａが押下された場合）、図１０に示した処理が行われる周期が、周期データが表す周期の値に応じて短くなる。
【００４１】
以上説明したように、本実施形態によれば、一定の周期で振動を発生させ、この振動を人目に触れにくく、行動を妨げない場所から人体に伝えることができるため、人前で行動する際にも緊張を容易に緩和し、集中力を向上させたり心身をリラックスさせたりすることができる。また、本実施形態によれば、振動にあわせて音を発生させるか否かを設定できるため、使用する場所に応じて音を発生させないようにすることができる。これにより、装置を携帯していることを他人に知られることなく、人前で使用して緊張を緩和することが可能となる。
【００４２】
［変形例］
以上、本発明の第２実施形態について説明したが、上述した実施形態を以下のように変形して実施してもよい。
【００４３】
第２実施形態においては、振動を発生させる周期の上限値と下限値とを予め設定しておき、周期データが変更された場合に、周期データが表す値が設定した範囲外とならないようにしてもよい。また、振動を発生させる周期は、人間がリラックスしている時の脈拍と同じ周期（例えば、６０拍／分〜８０拍／分の範囲内）としてもよい。
【００４４】
第２実施形態においては、筐体２０Ａは柱体状となっているが、筐体２０Ａの形状は
柱体状に限定されるものではなく、他の形状であってもよい。また、第２実施形態においては、図２に示した分銅５１をシャフト５３に取り付け、この分銅５１を、第一部材２２または第二部材２３に衝突させるようにしてもよい。また、第２実施形態においては、第１実施形態の振動モータ５０を筐体２０Ａの内部に配設して振動を発生させるようにしてもよい。また、第２実施形態においても、第１実施形態と同様に動作時間や振動の強弱を設定できるようにしてもよい。また、第１実施形態においては、第２実施形態と同様の構成により、振動と音とを発生させるようにしてもよい。
【００４５】
第２実施形態においては、回転部材５３の突起部５３Ａの一方の側面に第一部材２２を取り付け、他方の側面に第二部材２３を取り付けるようにしてもよい。この態様によれば、第一部材が取付けられた側を衝突用突起部２１に衝突させると、振動と共に音を発生させることができ、第２部材２３が取付けられた側を衝突用突起部２１に衝突させると、音を発生させることなく振動のみを発生させることができる。また、第２実施形態においては、衝突用突起部２１近傍を図１２に示した構成としてもよい。この態様においては、筐体２０Ａの表面に消音部材２４を配設している。消音部材２４は、図１２に示したように、断面がＴ字状になっており、第二部材２３と同様にシリコンやゴム等の柔らかい部材で形成されている。消音部材２４の突起部２４Ａは、筐体２０Ａに設けられた２０Ａに挿入されており、消音部材２４は、この溝に沿ってユーザの操作により移動する。図１２に示したように、消音部材２４の突起部２４Ａが、突起部５６Ａの回転軌道上にある場合には、突起部５６Ａと消音部材２４とが衝突して振動が発生する。一方、消音部材２４が移動させられ、消音部材２４の突起部２４Ａが、突起部５６Ａの回転軌道上にない場合には、突起部５６Ａが筐体２０Ａと衝突し、振動と共に音が発生する。
【００４６】
また、第２実施形態においては、筐体２１Ａを第一部材と同じ部材で形成し、衝突用突起部２１に第二部材のみを取り付けるようにし、音を発生させる際には、突起部５６Ａを衝突用突起部２１に衝突させ、音が発生しないようにする際には、突起部５６Ａを第二部材に衝突させるように、モータを制御するようにしてもよい。
【００４７】
また、第２実施形態においては、以下のようにモータ５０Ａを制御してもよい。
まず、音発生モードである場合には、制御部１０１は、突起部５６Ａがシャフト５３を挟んで衝突用突起部２１と反対の位置に位置するように、モータ制御部１０２を制御してシャフト５３を矢印Ｂ方向へ回転させる。次に制御部１０１は、モータ制御部１０２を制御してシャフト５３を矢印Ａ方向へ回転させ、突起部５６Ａを第一部材２２に衝突させて、シャフト５３の回転を停止させる。制御部１０１は、この一連の処理を、不揮発性メモリに記憶されている周期データが表す周期毎に行う。
一方、消音モードである場合には、制御部１０１は、突起部５６Ａがシャフト５３を挟んで衝突用突起部２１と反対の位置に位置するように、モータ制御部１０２を制御してシャフト５３を矢印Ａ方向へ回転させる。次に制御部１０１は、モータ制御部１０２を制御してシャフト５３を矢印Ｂ方向へ回転させ、突起部５６Ａを第二部材２３に衝突させて、シャフト５３の回転を停止させる。制御部１０１は、この一連の処理を、不揮発性メモリに記憶されている周期データが表す周期毎に行う。
このような制御によっても、動作モードが音発生モードである場合には、周期データが表す周期で振動と音が発生し、動作モードが消音モードである場合には、周期データが表す周期で振動が発生する。
【図面の簡単な説明】
【００４８】
【図１】本発明の第１実施形態に係る緊張緩和装置の外観図である。
【図２】振動モータの構成を示す図である。
【図３】同緊張緩和装置のハードウェア構成を示すブロック図である。
【図４】同緊張緩和装置が行う処理の流れを示すフローチャートである。
【図５】同緊張緩和装置が行う処理の流れを示すフローチャートである。
【図６】本発明の変形例に係る緊張緩和装置の外観図である。
【図７】本発明の第２実施形態に係る緊張緩和装置の外観図である。
【図８】同緊張緩和装置が具備するモータ周辺の構成を示した図である。
【図９】同緊張緩和装置のハードウェア構成を示すブロック図である。
【図１０】同緊張緩和装置の処理の流れを示すフローチャートである。
【図１１】同緊張緩和装置の処理の流れを示すフローチャートである。
【図１２】同実施形態の変形例を示した図である。
【符号の説明】
【００４９】
１・・・緊張緩和装置、１０・・・ベルト、１１・・・金具、２０，２０Ａ・・・筐体、２１・・・衝突用突起部、２２・・・第一部材、２３・・・第二部材、３１・・・動作スイッチ、３２・・・強弱スイッチ、３３，３３Ａ・・・アップスイッチ、３４，３４Ａ・・・ダウンスイッチ、３５・・・電源スイッチ、３６・・・音スイッチ、４０・・・振動体、５０・・・振動モータ、５０Ａ・・・モータ、５１・・・分銅、５２・・・ハウジング、５３・・・シャフト、５４・・・ケース、５５・・・スペーサ、５６・・・回転部材、５６Ａ・・・突起部、６０・・・液晶ディスプレイ、１０１・・・制御部、１０２・・・モータ制御部、１０３・・・電源部。
【図１】
2006055625.tif 000003
【図２】
2006055625.tif 000004
【図３】
2006055625.tif 000005
【図４】
2006055625.tif 000006
【図５】
2006055625.tif 000007
【図６】
2006055625.tif 000008
【図７】
2006055625.tif 000009
【図８】
2006055625.tif 000010
【図９】
2006055625.tif 000011
【図１０】
2006055625.tif 000012
【図１１】
2006055625.tif 000013
【図１２】
2006055625.tif 000014
【手続補正書】
【提出日】平成17年9月16日(2005.9.16)
【手続補正１】
【補正対象書類名】特許請求の範囲
【補正対象項目名】全文
【補正方法】変更
【補正の内容】
【特許請求の範囲】
【請求項１】
中空の筐体と、
シャフトを備え、前記筐体内部に配置されたモータと、
前記モータのシャフトに取り付けられた回転部材と、
前記シャフトの回転に伴って回転する前記回転部材の回転軌道上に配置された衝突用部
材と、
前記回転部材が前記衝突用部材に衝突するように前記モータのシャフトを第１方向へ回
転させた後、該シャフトを前記第１方向とは反対の第２方向へ回転させる駆動制御を、所
定の周期で繰り返すモータ制御手段と
を有する緊張緩和装置。
【請求項２】
前記回転軌道上であって、前記シャフトが前記第１方向へ回転した際に前記回転部材と
衝突する位置に配置され、硬質部材で形成された第一部材と、
前記回転軌道上であって、前記シャフトが前記第２方向へ回転した際に前記回転部材と
衝突する位置に配置され、軟質部材で形成された第二部材と、
動作モードを第１モードまたは第２モードのいずれかに設定する設定手段と
を備え、
前記モータ制御手段は、前記動作モードが第１モードである場合には、前記回転部材が
前記第一部材に衝突するように前記モータのシャフトを第１方向へ回転させた後、該シャ
フトを前記第１方向とは反対の第２方向へ回転させる駆動制御を所定の周期で繰り返し、
前記動作モードが第２モードである場合には、前記回転部材が前記第二部材に衝突するよ
うに前記モータのシャフトを前記第２方向へ回転させた後、該シャフトを前記第２方向と
は反対の第１方向へ回転させる駆動制御を所定の周期で繰り返すこと
を特徴とする請求項１に記載の緊張緩和装置。
【請求項３】
前記シャフトの回転に伴って回転する前記回転部材の回転軌道上と、前記回転軌道外と
に移動可能に配置され、軟質部材で形成された消音部材
を有することを特徴とする請求項１に記載の緊張緩和装置。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
上述した課題を解決するために本発明は、中空の筐体と、シャフトを備え、前記筐体内部に配置されたモータと、前記モータのシャフトに取り付けられた回転部材と、前記シャフトの回転に伴って回転する前記回転部材の回転軌道上に配置された衝突用部材と、前記回転部材が前記衝突用部材に衝突するように前記モータのシャフトを第１方向へ回転させた後、該シャフトを前記第１方向とは反対の第２方向へ回転させる駆動制御を、所定の周期で繰り返すモータ制御手段とを有する緊張緩和装置を提供する。
【手続補正書】
【提出日】平成17年11月2日(2005.11.2)
【手続補正１】
【補正対象書類名】特許請求の範囲
【補正対象項目名】全文
【補正方法】変更
【補正の内容】
【特許請求の範囲】
【請求項１】
中空の筐体と、
シャフトを備え、前記筐体内部に配置されたモータと、
前記モータのシャフトに取り付けられた回転部材と、
前記シャフトの回転に伴って回転する前記回転部材の回転軌道上に配置された衝突用部材であって、前記シャフトが前記第１方向へ回転した際に前記回転部材と衝突する位置に配置され、硬質部材で形成された第一部材と、
前記シャフトの回転に伴って回転する前記回転部材の回転軌道上に配置された衝突用部材であって、前記シャフトが前記第２方向へ回転した際に前記回転部材と衝突する位置に配置され、軟質部材で形成された第二部材と、
動作モードを第１モードまたは第２モードのいずれかに設定する設定手段と、
前記動作モードが第１モードである場合には、前記回転部材が前記第一部材に衝突するように前記モータのシャフトを第１方向へ回転させた後、該シャフトを前記第１方向とは反対の第２方向へ回転させる駆動制御を所定の周期で繰り返し、前記動作モードが第２モードである場合には、前記回転部材が前記第二部材に衝突するように前記モータのシャフトを前記第２方向へ回転させた後、該シャフトを前記第２方向とは反対の第１方向へ回転させる駆動制御を所定の周期で繰り返すモータ制御手段と
を有する緊張緩和装置。
【請求項２】
中空の筐体と、
シャフトを備え、前記筐体内部に配置されたモータと、
前記モータのシャフトに取り付けられた回転部材と、
前記シャフトの回転に伴って回転する前記回転部材の回転軌道上に配置された衝突用部材と、
前記回転部材が前記衝突用部材に衝突するように前記モータのシャフトを第１方向へ回転させた後、該シャフトを前記第１方向とは反対の第２方向へ回転させる駆動制御を、所定の周期で繰り返すモータ制御手段と、
前記シャフトの回転に伴って回転する前記回転部材の回転軌道上と、前記回転軌道外とに移動可能に配置された部材であって、軟質部材で形成された消音部材と
を有する緊張緩和装置。
【手続補正２】
【補正対象書類名】明細書
【補正対象項目名】０００６
【補正方法】変更
【補正の内容】
【０００６】
上述した課題を解決するために本発明は、中空の筐体と、シャフトを備え、前記筐体内部に配置されたモータと、前記モータのシャフトに取り付けられた回転部材と、前記シャフトの回転に伴って回転する前記回転部材の回転軌道上に配置された衝突用部材であって、前記シャフトが前記第１方向へ回転した際に前記回転部材と衝突する位置に配置され、硬質部材で形成された第一部材と、前記シャフトの回転に伴って回転する前記回転部材の回転軌道上に配置された衝突用部材であって、前記シャフトが前記第２方向へ回転した際に前記回転部材と衝突する位置に配置され、軟質部材で形成された第二部材と、動作モードを第１モードまたは第２モードのいずれかに設定する設定手段と、前記動作モードが第１モードである場合には、前記回転部材が前記第一部材に衝突するように前記モータのシャフトを第１方向へ回転させた後、該シャフトを前記第１方向とは反対の第２方向へ回転させる駆動制御を所定の周期で繰り返し、前記動作モードが第２モードである場合には、前記回転部材が前記第二部材に衝突するように前記モータのシャフトを前記第２方向へ回転させた後、該シャフトを前記第２方向とは反対の第１方向へ回転させる駆動制御を所定の周期で繰り返すモータ制御手段とを有する緊張緩和装置を提供する。
また、本発明は、中空の筐体と、シャフトを備え、前記筐体内部に配置されたモータと、前記モータのシャフトに取り付けられた回転部材と、前記シャフトの回転に伴って回転する前記回転部材の回転軌道上に配置された衝突用部材と、前記回転部材が前記衝突用部材に衝突するように前記モータのシャフトを第１方向へ回転させた後、該シャフトを前記第１方向とは反対の第２方向へ回転させる駆動制御を、所定の周期で繰り返すモータ制御手段と、前記シャフトの回転に伴って回転する前記回転部材の回転軌道上と、前記回転軌道外とに移動可能に配置された部材であって、軟質部材で形成された消音部材とを有する緊張緩和装置を提供する。
【手続補正３】
【補正対象書類名】明細書
【補正対象項目名】０００８
【補正方法】変更
【補正の内容】
【０００８】
以下、図面を参照して本発明の実施形態について説明する。
［Ａ．参考例］
［構成］
図１は、本発明の参考例に係る緊張緩和装置１の外観を示した図である。図１に示したように、本参考例に係る緊張緩和装置１は、腕時計と同様の形状となっており、筐体２０には、動作スイッチ３１と、強弱スイッチ３２と、アップスイッチ３３と、ダウンスイッチ３４と、振動体４０とが配設されている。また、筐体２０には、ベルト１０が取り付けられている。このベルト１０は、伸縮性を有しており、金具１１により長さを調整することが可能となっている。ユーザは、このベルトの長さを金具１１で調節することにより、手首や上腕部、足首など、他者から気づかれない部位に当該装置を装着することができる。
【手続補正４】
【補正対象書類名】明細書
【補正対象項目名】００１６
【補正方法】変更
【補正の内容】
【００１６】
［動作］
次に本参考例の動作について説明する。なお、以下の説明においては、動作スイッチ３１のスライダを第２の位置へスライドさせ、動作時間を３分にした場合を想定して動作説明を行う。
【手続補正５】
【補正対象書類名】明細書
【補正対象項目名】００２２
【補正方法】変更
【補正の内容】
【００２２】
以上説明したように本参考例によれば、人目に触れにくく、行動を妨げない場所に心身の緊張を緩和する装置が装着されるため、人前で行動する際にも緊張を容易に緩和し、集中力を向上させたり心身をリラックスさせたりすることができる。また、振動モータ５０を具備した振動体４０が直接身体に接するため、筐体２０の内部に振動体４０を配設する場合と比較して振動が減衰することなく皮膚に伝わり、少ない電力でも大きな振動を皮膚に与えることができる。また、振動による刺激は、光や音、電磁界などによる人体への刺激と比較して、刺激の有無を知覚しやすく、また、周囲の環境に影響を受けずに人体へ伝わるため、より効率良く心身の緊張を緩和することができる。また、本参考例によれば、筋肉に電流を流して筋収縮により人体に振動を発生させる場合と比較して振動の強弱の調整が容易であり、筋肉を強制的に動かすことがないため、体への負担が少なくてすむ。また、一定の周期で振動を発生させ、さらに心臓の拡張・収縮のような相反する運動のように、正転・逆転という相反する動きを振動モータ５０に行わせることにより、同じ振動モータ５０を単純に一方向に駆動して振動を発生させた場合と比較して、生体が緊張緩和状態に引き込まれやすくなる。
【手続補正６】
【補正対象書類名】明細書
【補正対象項目名】００２３
【補正方法】変更
【補正の内容】
【００２３】
［変形例］
以上、本発明の参考例について説明したが、例えば、上述した参考例を以下のように変形してもよい。
【手続補正７】
【補正対象書類名】明細書
【補正対象項目名】００２８
【補正方法】変更
【補正の内容】
【００２８】
［Ｂ．実施形態］
次に、本発明の実施形態について説明する。図７は、本発明の実施形態に係る緊張緩和装置１Ａの外観図である。図７に示したように、本実施形態に係る緊張緩和装置１Ａにおいては、柱体状の筐体２０Ａの表面に、電源スイッチ３５と、アップスイッチ３３Ａと、ダウンスイッチ３４Ａと、音スイッチ３６とが配設されている。また、緊張緩和装置１Ａは、振動を発生させるための小型モータや、モータを制御するためのモータ制御部、緊張緩和装置１Ａの各部を制御する制御部、緊張緩和装置１Ａを駆動するための電源部等を筐体２０Ａの内部に有している。この緊張緩和装置１Ａの大きさは、人間の掌に納まる程度の大きさであり、衣服のポケット等に収めることが可能となっている。
【手続補正８】
【補正対象書類名】明細書
【補正対象項目名】００４２
【補正方法】変更
【補正の内容】
【００４２】
［変形例］
以上、本発明の実施形態について説明したが、上述した実施形態を以下のように変形して実施してもよい。
【手続補正９】
【補正対象書類名】明細書
【補正対象項目名】００４３
【補正方法】変更
【補正の内容】
【００４３】
本実施形態においては、振動を発生させる周期の上限値と下限値とを予め設定しておき、周期データが変更された場合に、周期データが表す値が設定した範囲外とならないようにしてもよい。また、振動を発生させる周期は、人間がリラックスしている時の脈拍と同じ周期（例えば、６０拍／分〜８０拍／分の範囲内）としてもよい。
【手続補正１０】
【補正対象書類名】明細書
【補正対象項目名】００４４
【補正方法】変更
【補正の内容】
【００４４】
本実施形態においては、筐体２０Ａは柱体状となっているが、筐体２０Ａの形状は柱体状に限定されるものではなく、他の形状であってもよい。また、本実施形態においては、図２に示した分銅５１をシャフト５３に取り付け、この分銅５１を、第一部材２２または第二部材２３に衝突させるようにしてもよい。また、本実施形態においては、参考例の振動モータ５０を筐体２０Ａの内部に配設して振動を発生させるようにしてもよい。また、本実施形態においても、参考例と同様に動作時間や振動の強弱を設定できるようにしてもよい。また、参考例においては、本実施形態と同様の構成により、振動と音とを発生させるようにしてもよい。
【手続補正１１】
【補正対象書類名】明細書
【補正対象項目名】００４５
【補正方法】変更
【補正の内容】
【００４５】
本実施形態においては、回転部材５３の突起部５３Ａの一方の側面に第一部材２２を取り付け、他方の側面に第二部材２３を取り付けるようにしてもよい。この態様によれば、第一部材が取付けられた側を衝突用突起部２１に衝突させると、振動と共に音を発生させることができ、第２部材２３が取付けられた側を衝突用突起部２１に衝突させると、音を発生させることなく振動のみを発生させることができる。また、本実施形態においては、衝突用突起部２１近傍を図１２に示した構成としてもよい。この態様においては、筐体２０Ａの表面に消音部材２４を配設している。消音部材２４は、図１２に示したように、断面がＴ字状になっており、第二部材２３と同様にシリコンやゴム等の柔らかい部材で形成されている。消音部材２４の突起部２４Ａは、筐体２０Ａに設けられた２０Ａに挿入されており、消音部材２４は、この溝に沿ってユーザの操作により移動する。図１２に示したように、消音部材２４の突起部２４Ａが、突起部５６Ａの回転軌道上にある場合には、突起部５６Ａと消音部材２４とが衝突して振動が発生する。一方、消音部材２４が移動させられ、消音部材２４の突起部２４Ａが、突起部５６Ａの回転軌道上にない場合には、突起部５６Ａが筐体２０Ａと衝突し、振動と共に音が発生する。
【手続補正１２】
【補正対象書類名】明細書
【補正対象項目名】００４６
【補正方法】変更
【補正の内容】
【００４６】
また、本実施形態においては、筐体２１Ａを第一部材と同じ部材で形成し、衝突用突起部２１に第二部材のみを取り付けるようにし、音を発生させる際には、突起部５６Ａを衝突用突起部２１に衝突させ、音が発生しないようにする際には、突起部５６Ａを第二部材に衝突させるように、モータを制御するようにしてもよい。
【手続補正１３】
【補正対象書類名】明細書
【補正対象項目名】００４７
【補正方法】変更
【補正の内容】
【００４７】
また、本実施形態においては、以下のようにモータ５０Ａを制御してもよい。まず、音発生モードである場合には、制御部１０１は、突起部５６Ａがシャフト５３を挟んで衝突用突起部２１と反対の位置に位置するように、モータ制御部１０２を制御してシャフト５３を矢印Ｂ方向へ回転させる。次に制御部１０１は、モータ制御部１０２を制御してシャフト５３を矢印Ａ方向へ回転させ、突起部５６Ａを第一部材２２に衝突させて、シャフト５３の回転を停止させる。制御部１０１は、この一連の処理を、不揮発性メモリに記憶されている周期データが表す周期毎に行う。一方、消音モードである場合には、制御部１０１は、突起部５６Ａがシャフト５３を挟んで衝突用突起部２１と反対の位置に位置するように、モータ制御部１０２を制御してシャフト５３を矢印Ａ方向へ回転させる。次に制御部１０１は、モータ制御部１０２を制御してシャフト５３を矢印Ｂ方向へ回転させ、突起部５６Ａを第二部材２３に衝突させて、シャフト５３の回転を停止させる。制御部１０１は、この一連の処理を、不揮発性メモリに記憶されている周期データが表す周期毎に行う。このような制御によっても、動作モードが音発生モードである場合には、周期データが表す周期で振動と音が発生し、動作モードが消音モードである場合には、周期データが表す周期で振動が発生する。
【手続補正１４】
【補正対象書類名】明細書
【補正対象項目名】００４８
【補正方法】変更
【補正の内容】
【００４８】
【図１】本発明の参考例に係る緊張緩和装置の外観図である。
【図２】振動モータの構成を示す図である。
【図３】同緊張緩和装置のハードウェア構成を示すブロック図である。
【図４】同緊張緩和装置が行う処理の流れを示すフローチャートである。
【図５】同緊張緩和装置が行う処理の流れを示すフローチャートである。
【図６】参考例の変形例に係る緊張緩和装置の外観図である。
【図７】本発明の実施形態に係る緊張緩和装置の外観図である。
【図８】同緊張緩和装置が具備するモータ周辺の構成を示した図である。
【図９】同緊張緩和装置のハードウェア構成を示すブロック図である。
【図１０】同緊張緩和装置の処理の流れを示すフローチャートである。
【図１１】同緊張緩和装置の処理の流れを示すフローチャートである。
【図１２】同実施形態の変形例を示した図である。